(57)【特許請求の範囲】
【請求項１】
下記の構成要件Ａ〜Ｆを具備することを特徴とする上げ下げ障子を有する断熱ドア。
Ａ．躯体1の開口縁部に設けた躯体枠10の室内側略全面に合成樹脂枠60を装着する。
Ｂ．上記躯体枠10の開口部にアルミ型材で形成したドア本体枠20を開閉可能に装着し、上記ドア本体枠20の室内側略全面に合成樹脂枠61を装着する。
Ｃ．ドア本体枠20に上下動可能に支持させた障子框40の室内側略全面に合成樹脂枠62を装着する。
Ｄ．上記障子框40の室内側面に配置した合成樹脂枠62には、室内側の平面部62bと障子框40への取付部62aを形成し、上記合成樹脂枠62には、別体として、障子板31を挟持する断面Ｌ型の押縁62cを配置し、その室内側端面には障子板31内周面に延出する延出部62dを形成する。
Ｅ．上記延出部62d、上記合成樹脂枠62及び上記合成樹脂枠61の各室内側面は面一位置とする。
Ｆ．上記障子框40の内周面には、上記押縁62cを保持させるための係合部46,47を形成する。
【請求項２】
構成要件Ａにおける合成樹脂枠60の内縁部と構成要件Ｂにおける合成樹脂枠61の外縁部とを重ね合せ位置として対向面を形成させ、構成要件Ｂにおける合成樹脂枠61の内縁部と構成要件Ｃにおける合成樹脂枠62の外縁部とを重ね合せて対向面を形成することを特徴とする請求項１記載の上げ下げ障子を有する断熱ドア。
【請求項３】
上記各対向面間にシール材を配置することを特徴とする請求項２記載の上げ下げ障子を有する断熱ドア。
【請求項４】
ドア本体枠20の中央開口部に障子の収納部21を形成し、該収納部21は前記本体枠20の室外側に偏位させることを特徴とする請求項１乃至請求項３記載のいずれかの上げ下げ障子を有する断熱ドア。
【発明の詳細な説明】
【０００１】
【発明の属する技術分野】
本発明は、勝手口等に取り付ける上げ下げ障子を有する断熱ドアに関する。
【０００２】
【従来の技術】
勝手口等に取り付けられるドアにおいて、そのドアに開口部を形成し、この開口部に一対の障子を上下にスライド、及び、任意位置停止自在に取り付けて、ドアを閉状態のままで通風ができるようにしたものは公知である（例えば、実公平４−３５５１６号公報参照）。
最近、建物の断熱機能の向上に対する要望が高くなっており、上記勝手口等に取り付けるドアについても断熱機能の優れた構造のもの、即ち、断熱ドアが求められている。
【０００３】
断熱ドアの枠体として用いられている従来のものとしては、室内外に配置するアルミ型材とアルミ型材の間に断熱材を配置する枠体の例があるが、このような構成のものは一定幅の断熱材を配置することから、室内外幅、即ち、見込み寸法が大きくなるという不具合に加えて、室外側から室内側のアルミ型材に伝わった熱又は冷熱が、アルミ型材表面から室内に輻射し室内にいる人に気温以上の熱感又は冷感を与えるという不具合があった。
【０００４】
【発明が解決しようとする課題】
本発明は上記不具合に対応するために発明されたものであり、断熱機能が優れ、室内の快適度が向上し、デザイン的にも優れた上げ下げ障子を有した断熱ドアを提供することを課題とするものである。
【０００５】
【課題を解決するための手段】
上記課題を解決するために、本発明の請求項１記載の上げ下げ障子を有する断熱ドアは、躯体１の開口縁部に設けた躯体枠１０の室内側略全面に合成樹脂枠６０を装着し、上記躯体枠１０の開口部にアルミ型材で形成したドア本体枠２０を開閉可能に装着すると共に上記ドア本体枠２０の室内側略全面に合成樹脂枠６１を装着し、ドア本体枠２０に上下動可能に支持させた障子框４０の室内側略全面に合成樹脂枠６２を装着し、更に、上記障子框４０の室内側面に配置した合成樹脂枠６２には、室内側の平面部６２ｂと障子框４０への取付部６２ａを形成し、上記合成樹脂枠６２には、別体として、障子板３１を挟持する断面Ｌ型の押縁６２ｃを配置し、また、その室内側端面には障子板３１内周面に延出する延出部６２ｄを形成し、更に、上記延出部６２ｄ、上記合成樹脂枠６２及び上記合成樹脂枠６１の各室内側面は面一位置とし、上記障子框４０の内周面には上記押縁６２ｃを保持させるための係合部４６，４７を形成することを特徴とする。
【０００６】
また、本発明の請求項２記載の上げ下げ障子を有する断熱ドアは、上記手段に加えて、構成要件Ａにおける合成樹脂枠60の内縁部と構成要件Ｂにおける合成樹脂枠61の外縁部とを重ね合せ位置として対向面を形成させ、構成要件Ｂにおける合成樹脂枠61の内縁部と構成要件Ｃにおける合成樹脂枠62の外縁部とを重ね合せて対向面を形成することを特徴とする。
【０００７】
また、本発明の請求項３記載の上げ下げ障子を有する断熱ドアは、上記請求項２記載の手段に加えて、上記各対向面間にシール材を配置することを特徴とする。
また、本発明の請求項４記載の上げ下げ障子を有する断熱ドアは、上記請求項１乃至請求項３記載のいずれかの手段に加えて、ドア本体枠20の中央開口部に障子の収納部21を形成し、該収納部21は前記本体枠20の室外側に偏位させることを特徴とする。
【０００８】
【発明の実施の態様】
以下、本実施例の詳細な構成について説明する。
本発明の実施例に係る断熱ドアは、一戸建住宅やマンションの勝手口用のドアとして取り付けられる。図２に示すように、躯体１の壁面に形成した開口部にはヒンジ２、２を介して片開きの断熱ドア３を装着する。該断熱ドア３には開閉用の把手２４を設ける。
断熱ドア３を装着するための開口部の周壁には、アルミ型材からなる躯体枠１０を取り付ける。躯体枠１０は、図２に示すように、躯体右枠１０ａ、躯体左枠１０ｂ、躯体上枠１０ｃ、及び躯体下枠１０ｄ（総称して表現するときは躯体枠１０という）から成り、それぞれビス等により躯体１壁に固定する。
【０００９】
躯体枠１０を構成する各枠１０ａ〜１０ｄは、それぞれ種々の形状のアルミ型材で形成されているが、この基本形状は公知のものであるので説明を省略する。躯体枠１０の室内側面には、後述の合成樹脂枠（以下、「合成樹脂枠」は単に「樹脂枠」と略称する）を装着するため樹脂枠装着部（単に「装着部」と略称する）が形成してある。例えば、図１に示すように、躯体右枠１０ａに形成した装着部１９ａ、１９ｂは、樹脂枠６０を装着するためのカシメ部１９ａと、係合部１９ｂとして形成してある。図３、４に示すように、躯体上下枠１０ｃ、１０ｄにもカシメ部１９ａと係合部１９ｂとが設けてある。
【００１０】
躯体枠１０に対して、ドア本体枠２０をヒンジ２、２を介して開閉自在に軸着する。ドア本体枠２０は、図１に示すドア右枠２０ａ及びドア左枠（図外）、並びに図３、４に示すドア上枠２０ｃ及びドア下枠２０ｄとから構成し、押出成形されたアルミ型材の各種形状のものが使用されている。（なお、左右上下枠２０ａ〜２０ｄを総称して表現するときは「ドア本体枠２０」という。）
ドア本体枠２０の中央開口部は上げ下げ障子の収納部２１を形成している。図１に示すように、ドア左右枠の内壁、即ち、収納部２１両側に障子案内部材２２、２２が配置されている。
【００１１】
この障子案内部材２２、２２の内周には、それぞれ上下方向に案内レールとして任意位置停止レール２３を設けてあり、これらのレール２３に後述の障子右框４０ａ及び障子左框（図外）の突片４０ｅが係合している。更に、ドア本体枠２０の室外側には、室外側板５０が固定してあり、この室外側板５０内には網戸（図外）が設けてある。
ドア本体枠２０及び障子案内部材２２には後述の樹脂枠６１を装着するための装着部２９ａ、２９ｂが形成されている。即ち、図１、３、４に示すように、ドア本体枠２０の室内側面には障子案内部材２２の側面に至るまで、カシメ部２９ａ及び係合部２９ｂとが形成されている。また、ドア左枠には、室内外にそれぞれ把手２４、２４とロック部材２５が取り付けてある。また、ドア本体枠２０の障子３０側にはシール用のタイト材２６が付設されている。
【００１２】
ドア本体枠２０の収納部２１には、内障子３０ａ及び外障子３０ｂ（総称するときは、障子３０と表現する）とからなる上げ下げ障子３０が上下動自在及び任意位置での停止自在に配置される。各障子３０ａ、３０ｂは、それぞれ個別に障子案内部材２２、２２に支持案内される。また、障子３０は、障子板３１及び障子板３１を保持する障子框４０とからなる。障子板３１は、本実施例では総て二枚障子を用いる。
障子框４０は、図１、３、４に示すようにアルミ型材からなる障子右框４０ａ、障子左框（図外）、障子上框４０ｃ、及び障子下框４０ｄからなる（各框を総称して表現するときは「障子框４０」と表現する）。障子框４０の室内側面には、後述の樹脂枠６２を装着するためのカシメ部４９ａと係合部４９ｂとからなる装着部が形成される。また、障子框４０の内周面にも、図１、３、４に示すように後述の断面Ｌ型の押縁６２ｃを保持させるための係合部４６、４７が一定距離離して二箇所形成してある。
【００１３】
次に、樹脂枠６０〜６２の取付けについて説明する。
前述したように躯体枠１０、ドア本体枠２０、及び障子框４０の室内側面に樹脂枠６０〜６２を取り付ける。換言すれば、本実施例に係る躯体枠１０、ドア本体枠２０、及び障子框４０は、室外側のアルミ型材と室内側の樹脂枠６０〜６２との組み合わせから構成される。
まず、躯体枠１０の室内側面に取り付ける樹脂枠６０は、図１、３、４に示すように室内側への突出部６０ｂ及び装着部１９ａへの取付部６０ａが形成されており、全体として巾厚で立体的に形成する。
【００１４】
この樹脂枠６０は、ドア本体枠２０の室内側周囲に重ね合わせ状態で対向させて位置させるために、化粧枠を兼ねることになり、意匠的に優れた素材、形状及び色彩のものが選ばれる。また、図１，３，４に示すように、樹脂枠６０の室外側面には後述の対向する樹脂枠６１室内面に当接するシール材が付設されている。
【００１５】
次に、ドア本体枠２０の装着部２９ａ、２９ｂに取り付ける樹脂枠６１は、図１、３、４に示すように、室内側の平面部６１ｂ、及び取付部６１ａで形成されており、全体として巾薄で板状に形成する。
この樹脂枠６１には、ドア本体枠２０とは一定の断熱用の空間部６１ｃを形成させるための足部６１ｄ・・を設ける。この樹脂枠６１は、ドア本体枠２０の室内側面の形状により適宜設計すればよいが、実施例では部分的に室内外方向において巾厚に形成されている。また、樹脂枠６２の平面部６２ｂに重ね合わせ状態で対向する樹脂枠６１の端部には気密性向上のため軟質突片６１ｅが設けられ、シール材を構成している。
前記取付部６１ａの構成は、基本的には躯体枠１０用樹脂枠６０の取付部６０ａの構成と同様である。この樹脂枠６１においても、断熱機能の向上を最大の課題としつつも、その形状、素材、色彩等を適宜選択することにより、意匠的に優れたものとすることができる。
【００１６】
次に、障子框４０の装着部４９ａ、４９ｂに取り付ける樹脂枠６２は、図１、３、４に示すように、室内側の平面部６２ｂ、障子框４０への取付部６２ａで形成されている。
この樹脂枠６２には、別体として、障子板３１をその周部において挟持する断面Ｌ型の押縁６２ｃが配置される。該押縁６２ｃは、障子框４０と障子板３１との間に配置され、その室内側端面には障子板３１内周面に延出する延出部６２ｄが形成されている。また、延出部６２ｄの端部は突片６２ｅとして形成され、軟質舌片６２ｆを介して障子板３１に当接し、シール材を構成している。
そして、この延出部６２ｄ、樹脂枠６２、及びドア本体枠２０用の樹脂枠６１の各室内側面は面一位置とする。したがって、ドア本体枠２０の室内面は各樹脂枠６１、６２、及び押縁６２ｃにより面一形状となる。
【００１７】
上記構成により、室外側に位置するアルミ型材から伝えられ、且つ輻射される熱気や冷気は、室内側の樹脂枠６０〜６２により断熱されるために室内に伝わることはない。
特に、室内外方向で対向する合成樹脂枠６０，６１，６２間にシール材を配置することで、ドア本体枠２０を構成するアルミ型材が空間的に室内側と遮断されるから、室内外の断熱効果を一層向上させることができる。
また、室内側が樹脂枠６０〜６２で統一されるため、樹脂枠６０〜６２の素材、形状、色彩の選択が容易となり、意匠上の選択の余地が高まる。
【００１８】
更に、各枠１０、２０、４０への樹脂枠６０〜６２の取付において、その取付部６０ａ、６１ａ、６２ａを突出部６０ｂ、平面部６１ｂ、６２ｂより室外側に位置させ、カシメ手段と圧着係合手段との組合わせを用いたことにより、取り付けが確実になる。
また、各枠１０、２０、４０と樹脂枠６０〜６２との材質相違に伴う熱膨張率の差によって各枠間に若干の長さ等の歪みが生じても、圧着係合手段を用いた部分の僅かなズレ又は弾性変形によりその歪みを吸収できるので、枠、框に反り・湾曲等の歪みの発生が少ない。
【００１９】
また、歪みの可能性が少ない分だけ、枠、框を精密に設計でき、機密性・断熱性を向上させることが出来る。その結果、アルミ型材の枠１０、２０、４０と樹脂枠６０〜６２との合計寸法（巾寸法）を小さくすることができ、かつ、外見上体裁がよい形状となる。
更に、各樹脂枠６０〜６２の室内側面を面一形状とすると共に、障子の収納部２１をドア本体枠２０室外側に偏位させたことにより、室外からみれば、重量感にあふれた構造とすることができると共に、室内側では、出っ張りがないことから、室内空間を広くとることができ、かつ断熱ドア周辺部の壁や窓と面一形状とし易いから、意匠的にも優れた構造とすることができる。
【００２０】
更に、延出部６２ｄを形成したことにより、室内側からはアルミ型材を見ることはなく樹脂枠６０しか見えないので、意匠上の効果も優れている。
なお、上記実施例では、係合部１９ｂ，２９ｂ、４９ｂは、押圧による係合手段を採用したが、その他、嵌合、掛け止め等の他の手段を採用してもよく、アルミ枠と樹脂枠６０〜６２との間の係合部で若干の相互移動（ズレ）が可能な構成であればよい。
なお、上記特許請求の範囲の項には、実施例に対応する図面符号を付したが、本発明はこれに限定されるものではない。
【００２１】
【発明の効果】
本発明は、上記構成により下記の効果を奏する。
１．請求項１又は２記載の発明によれば、アルミ型材からの伝熱及び輻射熱が各樹脂枠により遮断され、室外の熱気や冷気が室内に伝わらず、室内の快適度が向上する。
また、室内側が樹脂枠に統一されるため、樹脂枠の色や形の選択が自由となり意匠上の選択の余地が高まる。また、室内側からはアルミ型材が視認できず樹脂枠しか見えないことから視覚的な効果を期待することができる。
特に、躯体枠の室内側面に装着した合成樹脂枠の内縁部とドア本体枠の室内側面に装着した合成樹脂枠の外縁部とを重ね合せ位置として対向面を形成させ、ドア本体枠の室内側面に装着した合成樹脂枠の内縁部と障子框の室内側面に配置した合成樹脂枠の外縁部とを重ね合せ位置として対向面を形成させることで、一層上記効果を確実なものとすることができる。
【００２２】
２．請求項３記載の発明によれば、請求項１記載の発明の効果に加えて、ドア本体枠を構成するアルミ型材が空間的に室内側と連通していないから、空気の対流に伴う伝熱を抑制し、断熱効果を一層向上させることができる。
３．請求項４記載の発明によれば、請求項１乃至請求項３記載のいずれかの発明の効果に加えて、各樹脂枠の室内側面を面一形状とすると共に、障子の収納部をドア本体枠室外側に偏位させたことにより、室外からみれば、重量感にあふれた構造とすることができると共に、室内側では、出っ張りがないことから、室内空間を広くとることができ、かつ断熱ドア周辺部の壁や窓と面一形状とし易いから、意匠的にも優れた構造とすることができる。
【図面の簡単な説明】
【図１】本発明の実施例に係る断熱ドアの要部の水平断面図（図２のＡ−Ａ断面図）。
【図２】同断熱ドアの正面図。
【図３】図２のＢ−Ｂ断面の断面図。
【図４】図２のＣ−Ｃ断面の断面図。
【符号の説明】
１・・・躯体
２・・・ヒンジ
３・・・断熱ドア
１０・・躯体枠
１０ａ・・躯体右枠
１０ｂ・・躯体左枠
１０ｃ・・躯体上枠
１０ｄ・・躯体下枠
１９ａ・・カシメ部（装着部）
１９ｂ・・係合部（装着部）
２０・・ドア本体枠
２０ａ・・ドア右枠
２０ｃ・・ドア上枠
２０ｄ・・ドア下枠
２１・・収納部
２２・・障子案内部材
２３・・任意位置停止レール
２４・・把手
２５・・ロック部材
２６・・タイト材
２９ａ・・カシメ部（装着部）
２９ｂ・・係合部（装着部）
３０・・（上げ下げ）障子
３０ａ・・内障子
３０ｂ・・外障子
３１・・障子板
４０・・障子框
４０ａ・・障子右框
４０ｃ・・障子上框
４０ｄ・・障子下框
４０ｅ・・突片
４６、４７・・係合部
４９ａ・・カシメ部（装着部）
４９ｂ・・係合部（装着部）
５０・・室外側板
５１・・網戸
６０・・（合成）樹脂枠（躯体枠１０用）
６０ａ・・取付部
６０ｂ・・突出部
６１・・（合成）樹脂枠（ドア本体枠２０用）
６１ａ・・取付部
６１ｂ・・平面部
６１ｃ・・空間部
６１ｄ・・足部
６１ｅ・・軟質突片
６２・・（合成）樹脂枠（障子框４０用）
６２ａ・・取付部
６２ｂ・・平面部
６２ｃ・・押縁
６２ｄ・・延出部
６２ｅ・・突片
６２ｆ・・軟質舌片
【図１】
0003571220.tif 000002
【図２】
0003571220.tif 000003
【図３】
0003571220.tif 000004
【図４】
0003571220.tif 000005